(57)【要約】【課題】ショックプルーフメモリのアンダーフローを未然防止し、従来に比べ信頼性の高いショックプルーフ機能を備えた情報再生装置を提供する。【解決手段】最尤復号時における各時刻の最も確からしい状態遷移列と２番目に確からしい状態遷移列との尤度差を算出し、該尤度差に基づいてショックプルーフメモリへのデータ蓄積動作のリトライ制御を行う。【選択図】      図１
2005032312.tif 000002
【特許請求の範囲】
【請求項１】
時刻ｋ−ｎにおける第１状態から時刻ｋにおける第２状態へと遷移するｍ通りの状態遷移列のうちから最も確からしい状態遷移列を選択する最尤復号によって再生信号を２値化する最尤復号器と、
最も確からしい状態遷移列と２番目に確からしい状態遷移列との尤度差を算出する演算器と、
前記演算器で求めた尤度差に基づいてショックプルーフメモリへのデータ蓄積動作のリトライ制御を行う制御手段を有することを特徴とする情報再生装置。
【請求項２】
２値化された最尤復号出力に含まれるエラーを訂正するＥＣＣ回路を有し、前記制御手段は、前記演算器で求めた尤度差から再生信号の信頼性を判定し、該判定結果に基づいて前記ＥＣＣ回路のエラー訂正能力を変更することを特徴とする請求項１記載の情報再生装置。
【請求項３】
前記制御手段は、前記演算器で求めた尤度差が所定しきい値を越えた場合、対応する再生データの前記媒体上のアドレスを照会し、該アドレスのデータを再生リトライし、ショックプルーフメモリ上の対応する再生データを上書きすることを特徴とする請求項１記載の情報再生装置。
【発明の詳細な説明】
【０００１】
【発明の属する技術分野】
本発明は、ディスク状媒体から情報の読み出しを担う再生装置に適用され、特には媒体から読み出した信号をメモリに一時蓄積し、しかる後、メモリから再生データの連続性を保ちながら再生する所謂ショックプルーフメモリを備える情報再生装置に関するものである。
【０００２】
【従来の技術】
ディスク状媒体を用いたドライブ装置は、主にパーソナルコンピュータ等の周辺機器として使用され、媒体の可搬容易性や繰り返し録再の信頼性が高いことから、大容量データストレージ機器として発展してきた。特に、連続したデータを間歇的に記録または再生可能なこと、あるいは連続長データから任意部分データを高速かつランダムにアクセス可能なことなど、テープ状記録媒体では実現し得ないデータアクセシビリティ優位性を備えている。そして今日では、ディスク状媒体の小径・高密度化や転送速度の高速化が一層進展しており、マルチメディア機器の主軸として、アウトドア環境におけるモバイル動作を想定した映像機器などに適用されている。
【０００３】
こうした情報再生装置は、ディスク媒体から間欠的に高速でデータを再生し、メモリに一時蓄積した後、実時間レートで送出を行う所謂ショックプルーフ機能を有している。
【０００４】
図９はショックプルーフ機能を説明する図である。図９（９−１）は、ショックプルーフ動作をつかさどるメモリ内の蓄積量を縦軸にとり、横軸にメモリ残量の時間推移を示している。図９（９−２）は、ディスク媒体からメモリにデータを書き込むタイミング信号であり、Ｈ区間（０−ｔ１、ｔ２−ｔ３、ｔ４−ｔ５）のみ、ディスク媒体から情報を高速再生してメモリに蓄積する。
【０００５】
図９（９−３）は、メモリからの情報送出タイミングであり、Ｈ区間（ｔ１−）にメモリから情報を読み出し出力する。
【０００６】
図９の動作を説明する。いま情報再生装置において時刻０において再生動作が起動されたとする。図９（９−１）に示されるように、時刻０から時刻ｔ１の間にディスク媒体からデータを高速読み出ししてメモリに書き込みを行う。メモリ残量がａレベルに達したら（時刻ｔ１）ディスクからの読み出しを一時中止する。引き続き、（９−３）に示すタイミング信号に従ってメモリからの読み出しを行う。通常、メモリへの書き込み速度に対して読み出し速度は数分の１から数十分の１である。メモリ蓄積量がｂレベルになったら、タイミング信号（９−２）がＨに転じてディスクからのデータ読み出しを再開する。
【０００７】
このようなショックプルーフ機能によって、ディスク媒体へのデータアクセス時間をできるだけ少なくすることができ、モバイル機器として活用した場合の急激な温度変化、あるいは揺れや振動、衝撃といった外乱で生じる様々なエラーに対して、信頼性の高い情報の連続再生を実現することができる。
【０００８】
従来、こうしたショックプルーフ機能を有する再生装置は多数提案されている。特開２００２−１８３９６８公報では、ディスク媒体から得られた再生信号をＥＣＣ（エラー訂正処理）した結果をみて情報再生が正常にできたかどうかを判定し、しかる後、情報再生に不具合があればレーザーパワー等の再生処理に関わるパラメータを変更して再生リトライを行う技術が開示されている。また、特開２００１−１３５０１２公報では、再生信号をＥＣＣした際に、エラーの発生頻度を監視するとともに再生信号振幅値の変動を併せて監視することによってエラー多発位置を特定する技術が開示されている。こうした従来技術は、再生信号の品質をＥＣＣ処理によって判定し、エラー発生もしくはエラー訂正不能を検知するとともに、当該ディスク媒体におけるエラー発生個所を特定して再生リトライを実行する。こうして、情報の連続再生に対する信頼性を高める狙いがあった。
【０００９】
一方、モバイル用途に情報再生装置を活用した場合、筐体に不測の衝撃や振動が加わる可能性があり、そうした場合、ディスク媒体の所定トラックに追従しているトラッキングが外れてしまいサーボエラーを起こす可能性がある。この場合は、サーボ処理系においてトラッキングエラー信号の変位量を監視することによって、サーボエラーフラグを上位管理機構に通知し、サーボ復帰させた後、再生リトライを行うことになる。
【００１０】
【特許文献１】
特開２００２−１８３９６８号公報
【特許文献２】
特開２００１−１３５０１２号公報
【００１１】
【発明が解決しようとする課題】
ところが、従来のショックプルーフ機能を有する情報再生装置には次のような課題が顕在する。前述の特開２００２−１８３９６８公報あるいは特開２００１−１３５０１２公報に開示された技術は、再生信号をＥＣＣ処理し、そのデコード結果をみて再生リトライするかどうかの判断を行っていた。
【００１２】
図１１はＥＣＣブロックを示す図である。周知のとおりＥＣＣデコード処理は、図１１のように再生データをＥＣＣブロック単位で誤り訂正処理を行う。ＥＣＣブロックは横方向にＣ１パリティ、縦方向にＣ２パリティが符号化され、ＥＣＣブロック横方向の誤り訂正処理をＣ１訂正、縦方向の誤り訂正処理をＣ２訂正と呼び、Ｃ１、Ｃ２エラー訂正を繰り返し実施することで誤り訂正を行っている。ここで、ＥＣＣブロックのデータ単位は３２ＫＢ〜６４ＫＢ程度が一般的であるが、ＥＣＣデコード結果が得られるのは情報再生データがＥＣＣブロックを満たし、かつＣ１訂正、Ｃ２訂正といった誤り訂正処理がなされた後である。
【００１３】
すなわち、ディスクから再生した信号はメモリに一時蓄積した後、復号処理、ＥＣＣ演算処理を行う。また、ＥＣＣ演算処理はＥＣＣブロック単位のデータに複数回の訂正処理をかける。これらの処理のために、再生信号のエラー状況が判明するまでに少なくとも数秒単位の遅延が生じてしまう。かかる甚大な遅延の後、誤り訂正できないという再生リトライ移行判断がなされた場合、エラー個所のアドレス特定から再生リトライの実施に及ぶまでさらに処理遅延が波及する。情報再生の転送速度の高速化は日進月歩であるため、データの連続再生を保証するためにはできるだけ早い段階で、再生リトライの実施判断をしなければならない。
【００１４】
また、従来のサーボエラーを監視した再生リトライ動作は、筐体への揺れや振動といった外乱の検知は早くできるものの、ディスク媒体に付着したゴミ、汚れなどによる局部的な信号品位の低下、あるいかモバイル動作における環境温度変化などによる再生信号の劣化を検知することはできない。
【００１５】
本発明は、上記問題に鑑みなされたものであり、ショックプルーフメモリのアンダーフローを未然防止し、従来に比べ信頼性の高いショックプルーフ機能を備えた情報再生装置の提供を目的とするものである。
【００１６】
【課題を解決するための手段】
上記目的は、時刻ｋ−ｎにおける第１状態から時刻ｋにおける第２状態へと遷移するｍ通りの状態遷移列のうちから最も確からしい状態遷移列を選択する最尤復号によって再生信号を２値化する最尤復号器と、最も確からしい状態遷移列と２番目に確からしい状態遷移列との尤度差を算出する演算器と、前記演算器で求めた尤度差に基づいてショックプルーフメモリへのデータ蓄積動作のリトライ制御を行う制御手段を有することを特徴とする情報再生装置によって達成される。
【００１７】
（作用）
本発明の請求項１に記載された構成によれば、再生データの品質をＥＣＣ処理より早く判断できるため、ディスク媒体上の局所的なエラー発生個所のアドレス特定を行って再生リトライ動作への瞬時移行を果たせ、ショックプルーフ機能の信頼性を従来に比べ高められる。
【００１８】
また、請求項２に記載された構成によれば、ＥＣＣ処理の訂正能力の強化により不要な再生リトライを回避することが可能になる。
【００１９】
また、請求項３に記載された構成によれば、再生データの品位の悪い個所のみを限定的に再生リトライできるためリトライにかかる所要時間を必要最低限に短縮することができる。
【００２０】
【発明の実施の形態】
以下、本発明の実施形態について図面を参照して詳細に説明する。
【００２１】
本発明は、例えば、図２に示すような情報再生装置２００に適用される。
【００２２】
＜情報再生装置２００の全体構成及び一連の動作＞
情報再生装置２００は、ディスク状媒体（以下「ディスク」と記す）２０１、光ピックアップ２０２、スピンドルモータ２０３、サーボＤＳＰ（Ｄｉｇｉｔａｌ  Ｓｉｇｎａｌ  Ｐｒｏｃｅｓｓｏｒ）２０８、ＲＦプリアンプ２０４、ＡＧＣ（Ａｕｔｏ  Ｇａｉｎ  Ｃｏｎｔｒｏｌ）／Ｆｉｌｔｅｒ２０５、Ａ／Ｄ２０６、再生プロセッサ２０７、ドライブコントローラ２０９、メモリ２１１、メモリ制御２１０、データバス２１２によって構成される。
【００２３】
情報再生装置２００において、メモリ２１１は、データバス２１２を介し、各機能ブロックでタイム・シェアリングして使用されるメモリ空間であり、ドライブコントローラ２０９を介してメモリ制御２１０により制御及び管理される。
【００２４】
ドライブコントローラ２０９は中央演算処理（ＣＰＵ）を備え、データバス２１２を介してユーザー指定コマンドを受信実行、あるいは所定のプログラムを実行することにより、情報再生装置２００の全体システムを統括制御する。
【００２５】
光ピックアップ２０２は、不図示の光学カップリング群、レーザー素子、アクチュエータ、受光素子などから成り、ディスク２０１へのレーザー光照射や情報検出を行う。情報検出には、ディスク媒体からの反射光量を検出し、当該反射光を光電変換することで、再生電気信号を取得する。
【００２６】
サーボＤＳＰ２０８は、ディスク２０１への駆動制御全体をコントロールする機能を有し、不図示のトラバースモータによって光ピックアップ２０２をディスク２０１上、所定アドレスに位置制御をする。また、光ピックアップ２０２内のアクチュエータを制御することによって、フォーカス制御、トラッキング制御を行う。さらに、光ピックアップ２０２におけるレーザー射出光量制御、そしてスピンドルモータ２０３により、ディスク２０１を所定の回転数に駆動制御する。
【００２７】
ディスクからの情報再生処理について説明する。光ピックアップ２０２から得られた微弱再生信号は、ＲＦプリアンプ２０４によって増幅処理される。しかる後、ＡＧＣ／Ｆｉｌｔｅｒ２０５において所定レベルにゲインコントロールならびに帯域制限がなされる。Ａ／Ｄ２０６は、入力されたアナログ信号をデジタル信号に変換する。これらはドライブコントローラ２０９から不図示の制御線によって所定の特性に最適制御されるものである。続いて再生プロセッサ２０７において再生信号処理が施されデータバス２１２に情報データが伝送される。
【００２８】
＜再生プロセッサ２０７の機能詳細ならびに一連の動作＞
次に、再生プロセッサ２０７の再生信号処理について、図３を用いて詳述する。図３において３０１は波形等化、３０２はビタビ復号、３０３は復調、３０４はＥＣＣ（Ｅｒｒｏｒ  Ｃｏｒｒｅｃｔ  Ｃｏｄｅ）、３０５はＳＡＭ（Ｓｅｑｕｅｎｃｅｄ  Ａｍｐｌｉｔｕｄｅ  Ｍａｒｇｉｎ）値算出である。
【００２９】
再生プロセッサ２０７に入力された信号は、不図示のＰＬＬがかけられ再生信号に同期したクロック成分が抽出される。このクロックは再生プロセッサの処理タイミングに用いられる。
【００３０】
また、本実施形に示されるディスク情報は、周知の（１、７）ＲＬＬ符号をＮＲＺＩ変換して記録されており、最小反転間隔は２となっている。
【００３１】
波形等化３０１は、パーシャルレスポンスＰＲ（１、２、２、１）の特性をもつ波形等化を行う。ＰＲ（１、２、２、１）は、以下の式で表される。
【００３２】
【外１】
2005032312.tif 000003
【００３３】
ここでｙ〔ｋ〕：ＰＲ出力値、ｄｋ：現在の時刻ｋにおける記録符号、ｄｋ−１：１クロック前の時刻ｋ−１における記録符号、ｄｋ−２：２クロック前の時刻ｋ−２における記録符号、ｄｋ−３：３クロック前の時刻ｋ−３における記録符号である。
【００３４】
図６に（１、７）ＲＬＬとＰＲ（１、２、２、１）に基づく状態遷移図を示す。各状態はＰＲ値に応じて次の状態に遷移する。続いて、状態遷移に応じて復号ビットを出力する。また、図６の状態遷移図を時間軸方向に展開したトレリス図を図７に示す。
【００３５】
ビタビ復号では、図７に示すトレリス図に従って、各状態の時刻ｋでのパスメトリックｍ０００［ｋ］〜ｍ１１１［ｋ］は、時刻ｋ−１の所定状態のメトリックｍ０００［ｋ−１］〜ｍ１１１［ｋ−１］と時刻ｋでの実際のＰＲ出力値ｙ［ｋ］とを用いて以下の計算式Ｘで求められる。
【００３６】
【外２】
2005032312.tif 000004
【００３７】
状態Ｓ（ｄｋ−２、ｄｋ−１、ｄｋ）とは、現時刻の復号データがｄｋ、１時刻前の復号データがｄｋ−１、２時刻前の復号データがｄｋ−２であることを示す。
【００３８】
状態Ｓ０００、状態Ｓ００１、状態Ｓ１１０及び状態Ｓ１１１では、各時刻毎に２つのパスが合流するため、合流する２つのパスのうち、パスメトリック値が小さい方を生き残りパスとして選択する。ここで、パスとはそれまで経由した状態の履歴であり、状態遷移列とも呼ぶ。
【００３９】
また、図７のトレリス線図に示すように時刻ｋ−１から時刻ｋの各状態に遷移する際には、各遷移により定まるＰＲ（１、２、２、１）の理想出力値と実際の再生信号をＰＲ（１、２、２、１）処理した出力値とのユークリッド距離をブランチ・メトリックとして加算する。なお、ＰＲ（１、２、２、１）の理想出力値は０、１、２、３、４、５、６の７値となる。
【００４０】
次にビタビ復号３０２ならびにＳＡＭ値算出３０５の動作を説明する。図８は、ビタビ復号３０２とＳＡＭ値算出３０５の機能ブロックを示したものである。図８において８０１はメトリック算出、８０２は加算／比較／選択、８０４はパスメモリ、８０５はメトリック差算出、８０６は標準偏差算出、８０７、８０８はレジスタである。
【００４１】
ＰＲ（１、２、２、１）から出力されたサンプル値はビタビ復号３０２に入力されメトリック算出８０１においてブランチ・メトリックが算出される。ブランチ・メトリックは加算／比較／選択８０２において、前記計算式ｘが実施される。
【００４２】
入力された時刻ｋにおけるブランチ・メトリックと時刻ｋ−１での各状態のパスメトリック値を加算し、その加算結果を比較して、小さい方の値を時刻ｋにおける各状態のパスメトリック値として選択し、この新しいパスメトリック値をレジスタ８０７に格納する。選択されたパスメトリック値の状態遷移に応じて、パスメモリ８０４は最も確からしいデータ系列を出力する。
【００４３】
つまり、パスメトリック値を更新してゆくことで、ｎ時刻前からのパス（状態遷移列）の確からしさが計算できる。その中で所定の区間における最小のパスメトリック値に対応する状態遷移列のデータ系列を出力することで、最も確からしいパスに対応するデータ系列を復号結果として出力する。
【００４４】
続いて、ＳＡＭ値算出３０５について説明する。ＳＡＭ（ＳｅｑｕｅｎｃｅｄＡｍｐｌｉｔｕｄｅ  Ｍａｒｇｉｎ）はビタビ復号において最も確からしいパスと次に確からしいパスとの差であり、たとえば、Ｔｉｍ  Ｐｅｒｋｉｎｓ  ａｎｄ  Ｚａｃｈａｒｙ  Ａ．Ｋｅｉｒｎ、“Ａ  Ｗｉｎｄｏｗ−Ｍａｒｇｉｎ−Ｌｉｋｅ  Ｐｒｏｃｅｄｕｒｅ  ｆｏｒ  Ｅｖａｌｕａｔｉｎｇ  ＰＲＭＬ  Ｃｈａｎｎｅｌ  Ｐｅｒｆｏｒｍａｎｃｅ”、ＩＥＥＥ  Ｔｒａｎｓａｃｔｉｏｎｏｎ  Ｍａｇｎｅｔｉｃｓ、Ｖｏｌ．２１  Ｎｏ．２、Ｍａｒｃｈ  １９９５などに報告されている。
【００４５】
図８において、メトリック差８０５は、加算／比較／選択８０２出力結果から最も確からしいパスと次に確からしいパスのパスメトリック差をレジスタ８０８に格納する。
【００４６】
ビタビ復号においては、最も確からしいパス、つまりデータ系列が各時刻でもつサンプル値と波形等化理想値との累積誤差（パスメトリック値）が最小となるパスを選択するものである。したがって、最も確からしいパスと次に確からしいパスのメトリックの差が大きいほど前者の信頼性が高いので復号データの信頼性も高い。逆に、最も確からしいパスと次に確からしいパスのメトリック差が小さい場合、二者択一に誤りが生じる可能性が高く、復号データの信頼性が低くなる。メトリック差算出８０５の出力値をヒストグラム化したものを図４に示す。図４において、横軸はメトリック差、縦軸は頻度数であり、各サンプル点におけるメトリック差を累積した複数のヒストグラムのなかで、最もメトリック差が少ない領域に位置するヒストグラムを抽出例示している。図４において、再生信号の品質を変えたものを３種類プロット表示している。横軸のメトリック差が小さい領域は、最も確からしいパスと次に確からしいパスのメトリックが近接するため、ビタビ復号でパスの識別エラー、すなわち復号データの誤りを起こしやすい。したがって、図４の４ａ、４ｂ、４ｃにおいて、メトリック差が小さい領域の頻度に着目すると、４ｃ＞４ｂ＞４ａであることから、再生信号４ｃがビタビ復号において誤判定する可能性がもっとも高い。換言すれば信号品位が悪いということである。続いて再生信号４ｂ、そして最も誤判定の確率が低い、つまり信号品位が良好なのは再生信号４ａである。
【００４７】
図８の標準偏差算出８０６は、図４に示されるメトリック差のヒストグラムから標準偏差を求める機能を有する。図４の例では、標準偏差は４ｃ＞４ｂ＞４ａとなり、標準偏差の程度によって再生信号の品質を判定することができる。
【００４８】
図５は、ＳＡＭ値とエラーレート（ビット誤り率）の相関を示した図である。同図のとおり、ビタビ復号から得られるＳＡＭ値は、エラーレートと高い相関を示す。
【００４９】
引き続き図３の再生プロセッサに戻る。復調３０３は復号されたデータ列を（１、７）ＲＬＬ復調する復調装置であり、後段のＥＣＣ３０４によってエラー訂正された情報再生信号がデータバス２１２に出力される。
【００５０】
＜リトライ動作＞
図１は、本発明の特徴を最もよく表す図であり、情報再生装置２００において再生動作中にＳＡＭ値を監視してエラー処理を行う動作フローチャートを示す。
○ステップＳ１０１：データ再生
上位コマンドを受けて、ディスクから指示アドレスのデータを再生し、メモリに一時蓄積ならびに一定時間で読み出しを行いながら情報再生処理を行う。
○ステップＳ１０２：ＳＡＭ値算出
ディスク媒体から再生した信号から、ＳＡＭ値を算出しレジスタに格納する。
○ステップＳ１０３：ＳＡＭ値判定
Ｓ１０２で得られたＳＡＭ値を、規定値ｋと比較する。
【００５１】
規定値ｋとは、後段のＥＣＣ３０４においてエラー訂正処理を行ってもエラーを完全に訂正できない臨界値を設定している。
【００５２】
ＳＡＭ値が規定値ｋより小さい場合、再生信号はＥＣＣにおいて完全にエラー訂正可能であるので、リトライ不要と判断してフロー終了する。
【００５３】
規定値ｋより大きい場合、再生信号はＥＣＣでエラーを訂正しきれず情報出力に支障があると判断する。ステップＳ１０４に移行する。
○ステップＳ１０４：アドレス照会
ステップＳ１０３でＳＡＭ値が規定値ｋ以上になったディスク媒体上のアドレス位置を算出する。アドレス位置算出は、ＳＡＭ値判定の際に、当該ＳＡＭ値の計測データ列と再生アドレス情報を付随して監視することによってアドレスを照会することができる。
○ステップＳ１０５：リトライ
ステップＳ１０４で照会されたアドレス位置にシークして、再生リトライ動作を実施する。
【００５４】
再生リトライによって新たに再生されたデータは、再びリトライ移行判断を監視する本実施形のフローにしたがってＳＡＭ値が算出される。新たに再生されたＳＡＭ値に異常がなければ、ステップＳ１０４で照会されたＳＡＭ値異常部分のみメモリ上のデータが上書きされる。かかる後、上書きされたデータを含めて復調処理、ＥＣＣ処理が施される。
【００５５】
（その他の実施形態）
本実施形のショックプルーフ機能は、ＳＡＭ値がエラーレートと相関高い精度で再生信号品位を判定できることから、ＳＡＭ値に応じてＥＣＣの訂正能力を変更し、リトライ回避を図るものである。
【００５６】
＜リトライ動作＞
図１２は、本発明の特徴を最もよく表す図であり、情報再生装置２００において再生動作中にＳＡＭ値を監視してエラー処理を行う動作フローチャートを示す。
○ステップＳ１２０１：データ再生
上位コマンドを受けて、ディスクから指示アドレスのデータを再生し、メモリに一時蓄積ならびに一定時間で読み出しを行いながら情報再生処理を行う。
○ステップＳ１２０２：ＳＡＭ値算出
ディスク媒体から再生した信号から、ＳＡＭ値を算出しレジスタに格納する。
○ステップＳ１２０３：ＳＡＭ値判定
Ｓ１２０２で得られたＳＡＭ値を、規定値ｋ、ｍ（ｋ＜ｍ）と比較する。
【００５７】
規定値ｋとは、後段のＥＣＣ３０４において通常のエラー訂正処理を行うことによってエラーを完全訂正できる値を設定している。
【００５８】
規定値ｍとは、後段のＥＣＣ３０４においてＣ１訂正Ｃ２訂正の繰り返しループを通常動作より増やしてエラー訂正能力を最大限に高めることによって完全訂正できる臨界値を設定している。
【００５９】
１）ｋ＞ＳＡＭ値のとき
ＳＡＭ値が規定値ｋより小さい場合、再生信号はＥＣＣにおいて完全にエラー訂正可能であると判断し、リトライ不要と判断してフロー終了する。
２）ｍ≧ＳＡＭ値≧ｋのとき
ＳＡＭ値が規定値ｋ以上、かつ規定値ｍ以下であるとき、再生信号は通常ＥＣＣ設定でエラーを訂正しきれず情報出力に支障があると判断する。ステップＳ１２０４に移行。
３）ＳＡＭ値＞ｍ
ＳＡＭ値が規定値ｍより大きい場合、再生信号は最大訂正能力を設定したＥＣＣでもエラーを訂正しきれず情報出力に支障があると判断する。ステップＳ１２０５に移行。
○ステップＳ１２０４：ＥＣＣ訂正能力変更
ＥＣＣ３０４のＣ１訂正Ｃ２訂正の繰り返しループを増やし、最大限繰り返すモードに設定する。
○ステップＳ１２０５：アドレス照会
ステップＳ１２０３でＳＡＭ値がＳＡＭ値＞ｍとなったディスク媒体上のアドレス位置を照会する。アドレス位置照会は、ＳＡＭ値判定の際に、当該ＳＡＭ値の計測データ列と再生アドレス情報を付随して監視することによって照会することができる。
○ステップＳ１２０６：リトライ
ステップＳ１２０５で算出されたアドレス位置にシークして、再生リトライ動作を実施する。
【００６０】
再生リトライによって新たに再生されたデータは、再びリトライ移行判断を監視する本実施形のフローにしたがってＳＡＭ値が算出される。新たに再生されたＳＡＭ値に異常がなければ、ステップＳ１２０５で照会されたＳＡＭ値異常部分のみメモリ上のデータが上書きされる。かかる後、上書きされたデータを含めて復調処理、ＥＣＣ処理が施される。
【００６１】
＜その他の判定指標＞
これまで詳述した実施形では、ビタビ復号処理から算出されるＳＡＭ値を監視してリトライ移行するものであったが、本実施形では、他の評価指標を用いてショックプルーフ動作の信頼性を高める。
【００６２】
その他の評価指標として、たとえば特開２００３−１４１８２３公報に開示されているような評価指標を用いても本発明を適用することができる。
【００６３】
具体的には、再生信号において図１３に示すような特定パターンを検出する。そして再生信号のなかで特定パターンが含まれている個所のみからメトリック差の検出を行う。図１３において特定パターンとは、ＰＲ（１、２、２、１）のビタビ復号において、最小ユークリッド距離１０を与えるパターンの組み合わせである。
【００６４】
メトリック差算出部では、ビタビ復号の復号データが図１３に示すパターンのいずれかに一致する場合、パスＡのメトリック及びパスＢのメトリックからメトリック差を算出する。図１４にパスＡとパスＢのトレリスを例示する。図１４のパスＡとパスＢのユークリッド距離は１０であるので、メトリック差の分布は図４に示すように平均値１０の正規分布のようになる。以降の処理は、前実施形と同様である。
【００６５】
特定パターンとは、エラー発生頻度の高いデータ列のことである。このように特定パターンの組み合わせに着目してメトリック差を抽出し、そのヒストグラムの偏りを検出することによって、評価指標の検出感度を上げることができる。すなわち、エラー発生しやすいパターンに限定しているので、より短いデータ長の演算処理で、再生信号品位を的確に把握することができる。
【００６６】
なお、本実施形におけるＳＡＭ値は、各時刻におけるメトリック差を累積したヒストグラムの偏りから標準偏差を求めてＳＡＭ値として抽出している。しかしながら、本発明の主旨から明白なように、ＳＡＭ値算出は前記標準偏差に限定されるものではない。一例として、図１０に示すとおり、メトリック差の小さい領域を“しきい値＝Ｔ”で判別し、しきい値Ｔ以下の頻度を勘案することでもＳＡＭ値相当の指標として適用可能である。
【００６７】
また、本実施形はハードウエアを踏まえた構成について説明したが、これに制約されることなく、ソフトウエアによるプログラム処理によっても実現可能である。
【００６８】
【発明の効果】
上述した通り、本発明の情報再生装置によれば、ディスク媒体から得られる再生信号の品位をＥＣＣ処理より早く判定することができるので、再生リトライの移行判断を瞬時に行うことができる。したがって、高精細映像情報のような転送レートの高い情報再生であっても、ショックプルーフメモリのアンダーフローを未然防止し、信頼性の高いショックプルーフ機能を実現することができる。
【００６９】
また、最尤復号の尤度差に基づいてＥＣＣ訂正能力を局所的、かつ選択的に変更することができるので不要なリトライ動作を回避することができる。
【００７０】
更に、ディスク媒体上の局所的なエラー発生個所を瞬時に特定することができるので、再生リトライの実施時間を必要最小限のデータ再生に抑制することができる。
【図面の簡単な説明】
【図１】本発明の情報再生装置の動作フローチャートである。
【図２】本発明の情報再生装置の機能ブロック図である。
【図３】図２図示の情報再生装置の再生プロセッサの機能ブロック図である。
【図４】ＳＡＭを説明する図である。
【図５】ＳＡＭとエラーレートの相関を示す図である。
【図６】ＰＲ（１，２，２，１）に基づく状態遷移図である。
【図７】ＰＲ（１，２，２，１）に基づくトレリス図である。
【図８】図３図示のビタビ復号とＳＡＭ値算出の詳細な機能ブロック図である。
【図９】ショックプルーフメモリの動作説明図である。
【図１０】ＳＡＭ値算出の他の実施例を説明する図である。
【図１１】ＥＣＣ処理ブロックを説明する図である。
【図１２】本発明の情報再生装置の他の動作フローチャートである。
【図１３】本発明における他の評価指標を説明する図である。
【図１４】本発明における他の評価指標を説明するトレリス図である。
【符号の説明】
２０１  ディスク
２０２  光ピックアップ
２０３  スピンドルモータ
２０４  ＲＦアンプ
２０５  ＡＧＣ・Ｆｉｌｔｅｒ
２０６  Ａ／Ｄ
２０７  再生プロセッサ
２０８  サーボＤＳＰ
２０９  ドライブコントローラ
２１０  メモリ制御
２１１  メモリ
２１２  データバス
３０１  波形等化
３０２  ビタビ復号
３０３  復調
３０４  ＥＣＣ
８０１  メトリック算出
８０２  加算・比較・選択
８０４  パスメモリ
８０５  メトリック差算出
８０６  標準偏差算出
８０７、８０８  レジスタ
【図１】
2005032312.tif 000005
【図２】
2005032312.tif 000006
【図３】
2005032312.tif 000007
【図４】
2005032312.tif 000008
【図５】
2005032312.tif 000009
【図６】
2005032312.tif 000010
【図７】
2005032312.tif 000011
【図８】
2005032312.tif 000012
【図９】
2005032312.tif 000013
【図１０】
2005032312.tif 000014
【図１１】
2005032312.tif 000015
【図１２】
2005032312.tif 000016
【図１３】
2005032312.tif 000017
【図１４】
2005032312.tif 000018